(57)【特許請求の範囲】
【請求項１】
遠隔位置にあるボルト部に座金を介してナットを締結するために用いる工具であって、円筒状の本体の上端面には前記ナット及びボルト部と嵌合する凹窩部が形成され、下端側に遠隔操作棒の先端を連結して用いる遠隔操作用のソケット工具において、
前記本体の側周から外径方向へ延びる鍔部と、この鍔部の外周端縁から、上方へ延びる所定高さの周壁部とからなる座金受け部と、
前記座金受け部の前記周壁部の上端が少なくとも前記本体の上端面よりも上方の位置となるように付勢する付勢手段とを備え、
前記座金受け部は、前記付勢手段による付勢に逆らう外力を受けて、前記本体の下方側へ移動可能に配置され、
さらに、前記鍔部の上側に、前記座金を吸着する磁石が備えられたことを特徴とするソケット工具。
【請求項２】
前記付勢手段は、前記本体の外周を囲うように配置されたスプリングであることを特徴とする請求項１に記載のソケット工具。
【発明の詳細な説明】
【技術分野】
【０００１】
本発明は、電柱のアームに取り付けられたピン碍子のボルト部等の遠隔位置にあるボルト部に座金を介してナットを締め付ける際に用いられる遠隔操作用のソケットに関するものである。
【背景技術】
【０００２】
図５は、従来のソケット工具を示した図であり、高所の設備に対して遠隔操作するために、遠隔操作棒（図示せず）の先端に取り付けて用いるものである。この図に示すソケット工具２０は、下端が遠隔操作棒の先端と着脱可能に接続できるように、接続部２２が形成されており、上端は、ボルト又はナット等が嵌合できるように凹窩部２１が形成されている。このようなソケット工具に関しては、例えば、特許文献１に記載がある。
【０００３】
高所の設備に対する遠隔操作の例としては、送配電用の電線を支持するピン碍子等のボルト部を、座金を介してナットにより固定する作業が挙げられる。この場合、ナットをボルト部から分離する際、座金が落下して危険であると共に、散乱するような場合には、作業に支障を来す。
【０００４】
そこで、図６に示すような、上端に、取り外した座金を収容できる座金受け部３１が形成されたソケット工具３０が考えられている。これにより、上端の凹窩部３２にナットを嵌合させ、ボルト部から分離させた際（詳しくは、以降で図７を用いて説明する）に、取り外されたナットはその凹窩部３２に収容され、座金は上方に形成された座金受け部３１に収容される。この座金収容部３１の側周には周壁部３１ａが形成されているので、ボルトから外された複数の座金を落下させることなく保持することができる。
【特許文献１】特開２００４−９２４８号公報
【発明の開示】
【発明が解決しようとする課題】
【０００５】
しかしながら、用いる座金の数は一定ではなく、設置状況に応じて増減する。この座金の用い方が様々あることにより生ずる問題点を、図７を用いて説明する。
【０００６】
図７（ａ）は、座金が少ない場合のナットの取り外し（又は取り付け）作業を示した図である。図は、ピン碍子等のボルト部４１が、取り付け部４０の下方から座金４３を介してナット４２により固定された状態を示している。この設置例の場合、２つの座金４３が用いられている。しかし、これら２つの座金４３の落下を防止するために設けられた座金受け部３１の周壁部３１ａの高さが２つの座金４３を重ねた厚さを上回っている。これにより、ナット４２と、このナット４２を嵌合させるために形成された凹窩部３２ａとは、座金受け部３１の周壁部３１ａが障害となって十分に嵌合することができない。したがって、ナット４２に十分な力を加えることが困難であり、無理に回転力を加えようとすると、ナット４２の山を崩してしまい兼ねない。また、逆に、固定する場合には、ナット４２が完全に締め付けられる前に、周壁部３１ａの上端が取り付け部４０の下面に突き当たる。この場合も同様に、締め付け完了状態においては、ナット４２に対して、ソケット工具３０の凹窩部３２が十分に係合することができない。
【０００７】
逆に、用いる座金４３の数が多い場合にも問題がある。図７（ｂ）は座金受け部３１の周壁部３１ａの高さよりも、用いる複数の座金４３を重ねた厚さの方が上回っている場合の作業を示している。この場合は、完全に締め付けられるまでナット４２とソケット工具３０の凹窩部３２とが良好な状態で係合でき、安定した締付作業を行うことが可能である。しかし、取り外し時には、すべての座金４３を座金受け部３１で保持することが出来ず、周壁部３１ａの高さを超える位置に重なっている座金４３は落下するおそれがある。
【０００８】
このように、数の定まっていない座金４３を収容するために、座金受け部３１の周壁部３１ａの高さを設定することは容易ではない。
【０００９】
本発明は、上記従来の課題に鑑みてなされたもので、座金の数が様々に設定される多様な設備に応じて、安全に座金を保持し、且つ確実にナットの着脱作業を行うことができるソケット工具を提供することを目的とするものである。
【課題を解決するための手段】
【００１０】
上記のような目的を達成するために、本発明のソケット工具は、遠隔位置にあるボルト部に座金を介してナットを締結するために用いる工具であって、円筒状の本体の上端面には前記ナット及びボルト部と嵌合する凹窩部が形成され、下端側に遠隔操作棒の先端を連結して用いる遠隔操作用のソケット工具において、前記本体の側周から外径方向へ延びる鍔部と、この鍔部の外周端縁から、上方へ延びる所定高さの周壁部とからなる座金受け部と、前記座金受け部の前記周壁部の上端が少なくとも前記本体の上端面よりも上方の位置となるように付勢する付勢手段とを備え、前記座金受け部は、前記付勢手段による付勢に逆らう外力を受けて、前記本体の下方側へ移動可能に配置されたことを特徴とするものである。また、前記鍔部の上側に、前記座金を吸着する磁石が備える構成とすると好適である。
【００１１】
このような構成により、用いられる座金の枚数が少なく、本体の凹窩部が形成された上端面の位置がナットから離れている場合、ナット等の取り付け位置（座金の周辺部分）に突き当たった座金受け部が本体に対して相対的に沈み込むことができる。また、用いられる座金の枚数が多い場合には、上記座金受け部の相対移動による沈み込みの量を少なくすることにより、適した位置に本体の上端面を移動させることが可能となる。また、ナットを取り外した後に座金受け部内に収容した座金は、磁石に吸着され、安定して保持される。
【００１４】
また、前記付勢手段は、前記本体の外周を囲うように配置されたスプリングとすると好適である。
【００１５】
このような構成により、本体の外周に沿った少ないスペースを利用して、座金受け部を上方へ付勢することができる。
【発明の効果】
【００１６】
本発明によれば、座金受け部の上端を、座金周辺の取り付け面に当接させ、押し付けるだけで、本体の上端からの周壁部の高さを簡易に調節することができるので、座金の数の異なる様々な設置状況に対応することが可能となる。
【発明を実施するための最良の形態】
【００１７】
以下、本発明に係るソケット工具の実施の形態につき、図を参照しながら説明する。以下の説明は本発明の具体例であって、特許請求の範囲を限定するものではない。また、各図面中同一部分については同一符号を用いるものとする。
【００１８】
図１は本発明の実施の形態に係るソケット工具の外観を示した斜視図であり、図２は、図１のソケット工具の平面図であり、図３は、図１のソケット工具のＩＩＩ−ＩＩＩラインから
見た側方断面図である。
【００１９】
これらの図に示すように、ソケット工具１は、ほぼ円筒形状の本体２を有し、その上端には、ピン碍子等のボルト部４１及び、これを取り付けるナット４２と嵌合する凹窩部２ａが形成されている。そして、ソケット工具１には、この本体２の外周を囲むように、本体２と同一軸心を有するほぼ円筒形状の座金受け部３が設けられている。この座金受け部３は、仮想線で示すように、本体２に対して下方に相対移動可能となっている。
【００２０】
一方、座金受け部３の下方に位置する本体２の側周には、スプリング４が周設されている。そして、このスプリング４の下端は、本体２の下方に設置されたリング状のスプリング受け部６を介して、止めビス７により制止されている。また、スプリング４の上端は、座金受け部３の下端に当接している。これにより、スプリング４は、座金受け部３を上方へ付勢する付勢手段としての機能を有している。
【００２１】
そして、座金受け部３は、図２に示すように、本体２の側周から外径方向に延びる底部（鍔部）の上面にリング状マグネット３ｂが配され、また、底部の外周端縁から上方へ延びる所定高さの周壁部３ａには、上端内周の３箇所に上部マグネット３ｃが配されている。したがって、座金受け部３に収容された座金は、これらリング状マグネット３ｂ及び上部マグネット３ｃに吸着されることにより安定して保持される。
【００２２】
ここで、特に、座金受け部３が外力を受け、本体２に対して相対移動した状態が、図３に示されている。図３（ａ）は、スプリング４により、座金受け部３が上方へ付勢され、上方から外力を受けていない状態を示している。この状態では、本体２の上端は、リング状マグネット３ｂが設けられた座金受け部３の底部の上面とほぼ同じ平面内に位置している。
【００２３】
一方、図３（ｂ）は、座金受け部３が、上方より外力を受け、スプリング４の付勢力に逆らって下方に摺動した状態を示している。
【００２４】
このようなソケット工具１は、その本体２の下端に設けられた接続部５に遠隔操作棒（図示せず）の先端が接続され、高所作業等に用いられる。次に、この作業の様子を説明する。
【００２５】
図４は図１のソケット工具１の使用状態を示した側方断面図である。
【００２６】
図４（ａ）は、用いる座金４３の数が少ない（図では２つ）場合が、また、図４（ｂ）は、用いる座金４３の数が多い（図では６つ）場合が示されている。
【００２７】
これらの図に示すように、座金４３の数が少ない場合、座金受け部３の上端が取り付け部４０の下面に当接しても、その座金受け部３は本体２に対して下方へ相対移動可能である。これにより、本体２の凹窩部２ａは、常にナット４２及びボルト部４１と良好な嵌合状態を維持することができる。そして、ナット４２を取り外す際には、スプリング４の付勢により座金受け部３が本体２に対して元の位置へ戻るので、座金４３の側方は座金受け部３の周壁部３ａにより囲まれる。また、座金受け部３の底部の上面に配置されたリング状マグネット３ｂ及び上端の上部マグネット３ｃにより、座金受け部３内に収容された座金４３が安定して保持される。
【００２８】
また、座金４３の数が多い場合であっても、図４（ｂ）に示されるように、十分収容することができるように、座金受け部３の周壁部３ａの高さが設定されているので、取りこぼすことはない。
【００２９】
このように、本発明のソケット工具１は、設置状況により座金４３の数が増減しても、それに応じて周壁部３ａの高さを変えることができるので、座金４３の取りこぼしによる落下を防ぐと共に、ナットとの嵌合状態を良好に保つことが可能であり、安全且つ確実な作業を行うことができる。
【００３０】
尚、上記の実施の形体では、座金受け部の底部は、本体の上端面とほぼ同一平面内に位置するように付勢されている構成を例として示したが、これに限らず、少なくとも、座金受け部の周壁部の上端が本体の上端面よりも上方へ延びていれば良い。
【００３１】
また、上記の実施の形体では、座金受け部を上方へ付勢するための付勢手段としてスプリングを用いた構成を例として示したが、これ以外の付勢手段であっても良い。
【産業上の利用可能性】
【００３２】
本発明は、座金受け部の上端を、座金周辺の取り付け面に当接させ、押し付けるだけで、本体の上端からの周壁部の高さを簡易に調節することができるので、座金の数の異なる様々な設置状況に対応することが可能となる。したがって、電柱のアームに取り付けられたピン碍子のボルト部等の遠隔位置にあるボルト部に座金を介してナットを締め付ける際に用いられる遠隔操作用のソケット工具等に利用可能である。
【図面の簡単な説明】
【００３３】
【図１】本発明の実施の形態に係るソケット工具の外観を示した斜視図である。
【図２】図１のソケット工具の平面図である。
【図３】図１のソケット工具のＩＩＩ−ＩＩＩラインから見た側方断面図である。
【図４】図１のソケット工具１の使用状態を示した側方断面図である。
【図５】従来のソケット工具を示した側方断面図である。
【図６】上端に座金受け部を有する従来のソケット工具を示した側方断面図である。
【図７】（ａ）は、座金が少ない場合のナットの取り付け（又は取り外し）作業を示した図であり、（ｂ）は座金受け部３１の周壁部３１ａの高さよりも用いる複数の座金４３の厚さが上回っている場合の作業を示している。
【符号の説明】
【００３４】
１  ソケット工具
２  本体
３  座金受け部（鍔部及び周壁部）
３ａ  周壁部
３ｂ  リング状マグネット
３ｃ  上部マグネット
４  スプリング（付勢手段）
４１  ボルト部
４２  ナット
４３  座金
【図１】
0005053001.tif 000002
【図２】
0005053001.tif 000003
【図３】
0005053001.tif 000004
【図４】
0005053001.tif 000005
【図５】
0005053001.tif 000006
【図６】
0005053001.tif 000007
【図７】
0005053001.tif 000008